(57)【要約】【課題】ユーザが複数人居る場合でも、ユーザ毎のプレイリストの整理を行うことができ、各ユーザが自分のプレイリストに従って記録番組を視聴できる情報記録再生装置を提供する。【解決手段】再生を行うために、例えばユーザＢによりチャンネルボタン「２」が長押しされると、装置の電源がオンされる。電源がオンされた後、特定ユーザ操作モードに設定され、チャンネルボタン「２」に対応するユーザ識別情報ＢＩによりユーザＢが特定される。再生操作を行うと、ユーザ識別情報ＢＩに対応する番組識別情報により記録媒体にユーザＢの記録番組があるか否かを判定する。ユーザＢの記録番組があると判定されたとき、ユーザＢの記録番組を優先的に時系列で並び換え、ユーザ固有プレイリスト３４または３５を表示させる。これにより、ユーザＢは視聴したい記録番組を選択する手間と時間を少なくできる。【選択図】図３
2007214685.tif 000002
【特許請求の範囲】
【請求項１】
テレビ番組を選局するチューナを備え、記録媒体に記録した情報を編集できる機能を有し、記録媒体に対して情報の記録／再生を行う情報記録再生装置において、
ユーザを特定するためのチャンネルボタンの長押しで電源をオンさせる電源オン手段と、電源がオンされた後、装置を操作するユーザを特定するための特定ユーザ操作モードに設定する特定ユーザ操作モード設定手段と、チャンネルボタンとユーザ識別情報との対応を示すテーブルを参照して前記長押しされたチャンネルボタンに対応するユーザ識別情報によりユーザを特定するユーザ特定手段と、記録操作による前記記録媒体への番組記録が開始し、あるいは記録予約による前記記録媒体への番組記録が開始し、この後、記録が終了したときに、当該番組識別情報に対応させてユーザ識別情報を前記記録媒体に記録させるユーザ識別情報記録手段と、電源がオフされたときに、前記設定された特定ユーザ操作モードを解除する特定ユーザ操作モード解除手段とを有する記録操作処理部を備えると共に、
ユーザを特定するためのチャンネルボタンの長押しで電源をオンさせる前記電源オン手段と、電源がオンされた後、装置を操作するユーザを特定するための特定ユーザ操作モードに設定する前記特定ユーザ操作モード設定手段と、チャンネルボタンとユーザ識別情報との対応を示すテーブルを参照して前記長押しされたチャンネルボタンに対応するユーザ識別情報によりユーザを特定する前記ユーザ特定手段と、再生を行う際に前記特定された当該ユーザの記録番組が前記記録媒体にあるか否かを当該ユーザ識別情報に対応する番組識別情報により判定する記録番組判定手段と、当該ユーザの記録番組があると判定されたとき、当該ユーザの記録番組のプレイリストを優先的に時系列で並べ換えるプレイリスト並べ換え手段と、前記並べ換えられたプレイリストを当該ユーザの固有プレイリストとして表示手段に表示させるプレイリスト表示手段と、前記表示されたプレイリストから選択された番組が再生され、この後、再生が終了して電源がオフされたときに、前記特定ユーザ操作モードを解除する特定ユーザ操作モード解除手段とを有する再生操作処理部を備えたことを特徴とする情報記録再生装置。
【請求項２】
テレビ番組を選局するチューナを備え、記録媒体に記録した情報を編集できる機能を有し、記録媒体に対して情報の記録／再生を行う情報記録再生装置において、
電源がオンされた後、ユーザ特定ボタンの押下により装置を操作するユーザを特定するための特定ユーザ操作モードに設定する特定ユーザ操作モード設定手段と、前記特定ユーザ操作モードに設定された後、ユーザを特定するためのチャンネルボタンが押下されたとき、チャンネルボタンとユーザ識別情報との対応を示すテーブルを参照して前記押下されたチャンネルボタンに対応するユーザ識別情報によりユーザを特定するユーザ特定手段と、記録操作による前記記録媒体への番組記録が開始し、あるいは記録予約による前記記録媒体への番組記録が開始し、この後、記録が終了したときに、当該番組識別情報に対応させてユーザ識別情報を前記記録媒体に記録させるユーザ識別情報記録手段と、電源がオフされたときに、前記設定された特定ユーザ操作モードを解除する特定ユーザ操作モード解除手段とを有する記録操作処理部を備えると共に、
電源がオンされた後、ユーザ特定ボタンの押下により装置を操作するユーザを特定するための特定ユーザ操作モードに設定する前記特定ユーザ操作モード設定手段と、前記特定ユーザ操作モードに設定された後、ユーザを特定するためのチャンネルボタンが押下されたとき、チャンネルボタンとユーザ識別情報との対応を示すテーブルを参照して前記押下されたチャンネルボタンに対応するユーザ識別情報によりユーザを特定する前記ユーザ特定手段と、再生を行う際に前記特定された当該ユーザの記録番組が前記記録媒体にあるか否かを当該ユーザ識別情報に対応する番組識別情報により判定する記録番組判定手段と、当該ユーザの記録番組があると判定されたとき、当該ユーザの記録番組のプレイリストを優先的に時系列で並べ換えるプレイリスト並べ換え手段と、前記並べ換えられたプレイリストを当該ユーザの固有プレイリストとして表示手段に表示させるプレイリスト表示手段と、前記表示されたプレイリストから選択された番組が再生され、この後、再生が終了して電源がオフされたときに、前記特定ユーザ操作モードを解除する特定ユーザ操作モード解除手段とを有する再生操作処理部を備えたことを特徴とする情報記録再生装置。
【請求項３】
テレビ番組を選局するチューナを備え、記録媒体に記録した情報を編集できる機能を有し、記録媒体に対して情報の記録／再生を行う情報記録再生装置において、
装置を操作するユーザを特定するための特定ユーザ操作モードに設定する特定ユーザ操作モード設定手段と、チャンネルボタンに対応するユーザ識別情報によりユーザを特定するユーザ特定手段と、記録操作による前記記録媒体への番組記録が開始し、あるいは記録予約による前記記録媒体への番組記録が開始し、この後、記録が終了したときに、当該番組識別情報に対応させてユーザ識別情報を前記記録媒体に記録させるユーザ識別情報記録手段と、電源がオフされたときに、前記設定された特定ユーザ操作モードを解除する特定ユーザ操作モード解除手段と、を有する記録操作処理部を備えると共に、
装置を操作するユーザを特定するための特定ユーザ操作モードに設定する前記特定ユーザ操作モード設定手段と、チャンネルボタンに対応するユーザ識別情報によりユーザを特定する前記ユーザ特定手段と、再生を行う際に前記特定された当該ユーザの記録番組が前記記録媒体にあるか否かを当該ユーザ識別情報に対応する番組識別情報により判定する記録番組判定手段と、当該ユーザの記録番組があると判定されたとき、当該ユーザの記録番組のプレイリストを優先的に時系列で並べ換えるプレイリスト並べ換え手段と、前記並べ換えられたプレイリストを当該ユーザの固有プレイリストとして表示手段に表示させるプレイリスト表示手段と、前記表示されたプレイリストから選択された番組が再生され、この後、再生が終了して電源がオフされたときに、前記特定ユーザ操作モードを解除する特定ユーザ操作モード解除手段を有する再生操作処理部を備えたことを特徴とする情報記録再生装置。
【請求項４】
前記記録操作処理部および前記再生操作処理部において、特定ユーザ操作モード設定手段は、ユーザを特定するためのチャンネルボタンの長押しで電源をオンさせる電源オン手段により、電源がオンされた後、装置を操作するユーザを特定するための特定ユーザ操作モードに設定し、ユーザ特定手段は、前記チャンネルボタンとユーザ識別情報との対応を示すテーブルを参照して前記長押しされたチャンネルボタンに対応するユーザ識別情報によりユーザを特定するように構成したことを特徴とする請求項３に記載の情報記録再生装置。
【請求項５】
前記記録操作処理部および前記再生操作処理部において、特定ユーザ操作モード設定手段は、電源がオンされた後、ユーザ特定ボタンの押下により装置を操作するユーザを特定するための特定ユーザ操作モードに設定し、特定ユーザ操作モードに設定された後、ユーザを特定するためのチャンネルボタンが押下されたとき、ユーザ特定手段は、チャンネルボタンとユーザ識別情報との対応を示すテーブルを参照して前記押下されたチャンネルボタンに対応するユーザ識別情報によりユーザを特定するように構成したことを特徴とする請求項３に記載の情報記録再生装置。
【発明の詳細な説明】
【技術分野】
【０００１】
本発明は、テレビ番組を選局するチューナを備え、記録媒体に記録した情報を編集できる機能を有し、記録媒体に対して情報の記録／再生を行う情報記録再生装置に関し、特に、記録したテレビ番組のプレイリストの整理を行うための処理に関する。
【背景技術】
【０００２】
近年普及してきているハードディスクやＤＶＤ（デジタル・バーサタイル・ディスク）などのランダムアクセス可能な記録媒体に対して情報の記録／再生を行う情報記録再生装置では、録画（映像信号および音声信号の記録）したテレビ番組に対して、ユーザが自分の好きなように、チャプター編集、ＣＭなどの場面削除、タイトル編集などの番組編集を行うことができるようになってきている。
【０００３】
ところで、録画したテレビ番組を元にしてユーザの好みのテレビ番組だけを集めたリストであるプレイリストの編集を行うと、ユーザの好みの番組を順番に再生したり、連続して再生したりすることができる。また、スポーツやドラマなどのジャンル毎にプレイリストを作成しておくと、ジャンル毎に再生ができ、ＣＭを削除したプレイリストを作成しておくと、番組本編だけを連続して再生することができる。
【０００４】
さて、ハードディスクレコーダやＤＶＤレコーダなどの従来の情報記録再生装置では、テレビ番組を時系列で記録しており、再生時にはプレイリストを表示手段に表示させ、このプレイリストからユーザ操作により選択されたテレビ番組を再生するようになっており、また、プレイリストからユーザ操作により選択されたテレビ番組が前記のようなプレイリスト編集により新たなプレイリストを作成したりしている。
【特許文献１】特開２００５−２８５２８５号公報
【特許文献２】特開２００５−３３９５９９号公報
【特許文献３】特開２００３−５０５８８号公報
【発明の開示】
【発明が解決しようとする課題】
【０００５】
しかしながら、１台の情報記録再生装置を複数のユーザが使用する場合であっても、従来から情報記録再生装置では、各ユーザが記録操作（録画操作）して所望するテレビ番組を記録させると、記録番組に対するプレイリストは時系列に整理されるので、各ユーザが自分の記録番組を視聴したいとき、プレイリストから視聴したい記録番組を選択するのに時間が多くかかり、また、自分が記録したテレビ番組を忘れるようなことがあった場合、自分の記録番組を検索するのに手間と時間が多くかかると言う課題が生じる。
【０００６】
なお、特許文献１の従来技術では、複数のユーザ毎にユーザ情報を受け付けて各ユーザ情報に応じた選択リスト（プレイリストに相当）を作成することにより、複数のユーザが１台の装置を使用する場合でも、その選択リストによりユーザ毎の嗜好に個別対応したコンテンツの読み出しを実現している。しかし、この従来技術は、複数のコンテンツが記録してある記録媒体から各ユーザの所要の情報を読み出せるように選択リストを作成するものであり、各ユーザが自分の好みのテレビ番組を記録したものに対して、ユーザ毎のプレイリストを作成するものではないので、上記のような課題を解決することができない。
【０００７】
特許文献２の従来技術では、記録媒体の記録領域を分割して複数のユーザに割り当て、ユーザは、自分に割り当てられた記録領域にデータを記録させるようにしている。したがって、例えば、記録媒体がＤＶＤであれば、１枚のＤＶＤを複数のユーザで共用することができる。しかしながら、この従来技術は、各ユーザが自分に割り当てられた記録領域にデータを記録させるようにしているが、例えば、或るユーザＡが長時間番組を記録媒体に記録させるような場合、自分の記録領域にその番組が収まらない場合、その番組全部を記録できなくなるという課題が生じる。したがって、このような場合は、最初から記録領域を割り当てない方が使い勝手が良いように思われる。
【０００８】
特許文献３の従来技術では、通信ネットワークを通じてユーザ端末と通信可能なコンテンツ提供システムの管理サーバ装置は、ユーザ端末に対するユーザ入力に基づいて、コンテンツのプレイリストを作成し、作成したプレイリストを、ユーザと関連付けて記憶手段に記憶し、ユーザ端末からの要求に応じて、サーバ装置の記憶手段からプレイリストを取得してユーザ端末に送信するように構成されている。しかしながら、この従来技術は、ユーザ端末側でプレイリストを作成するのではないので、本件で言うユーザ側の情報記録再生装置でのプレイリストの作成処理に関するものではない。
【０００９】
本発明は、上記のような課題を解決するためになされたもので、ユーザが複数人居る場合でも、ユーザ毎のプレイリストの整理を行うことができ、各ユーザが自分のプレイリストに従って記録番組を視聴することができる情報記録再生装置を提供することを目的とする。
【課題を解決するための手段】
【００１０】
上記目的を達成するために、請求項１の発明は、テレビ番組を選局するチューナを備え、記録媒体に記録した情報を編集できる機能を有し、記録媒体に対して情報の記録／再生を行う情報記録再生装置において、ユーザを特定するためのチャンネルボタンの長押しで電源をオンさせる電源オン手段と、電源がオンされた後、装置を操作するユーザを特定するための特定ユーザ操作モードに設定する特定ユーザ操作モード設定手段と、チャンネルボタンとユーザ識別情報との対応を示すテーブルを参照して前記長押しされたチャンネルボタンに対応するユーザ識別情報によりユーザを特定するユーザ特定手段と、記録操作による前記記録媒体への番組記録が開始し、あるいは記録予約による前記記録媒体への番組記録が開始し、この後、記録が終了したときに、当該番組識別情報に対応させてユーザ識別情報を前記記録媒体に記録させるユーザ識別情報記録手段と、電源がオフされたときに、前記設定された特定ユーザ操作モードを解除する特定ユーザ操作モード解除手段とを有する記録操作処理部を備えると共に、ユーザを特定するためのチャンネルボタンの長押しで電源をオンさせる前記電源オン手段と、電源がオンされた後、装置を操作するユーザを特定するための特定ユーザ操作モードに設定する前記特定ユーザ操作モード設定手段と、チャンネルボタンとユーザ識別情報との対応を示すテーブルを参照して前記長押しされたチャンネルボタンに対応するユーザ識別情報によりユーザを特定する前記ユーザ特定手段と、再生を行う際に前記特定された当該ユーザの記録番組が前記記録媒体にあるか否かを当該ユーザ識別情報に対応する番組識別情報により判定する記録番組判定手段と、当該ユーザの記録番組があると判定されたとき、当該ユーザの記録番組のプレイリストを優先的に時系列で並べ換えるプレイリスト並べ換え手段と、前記並べ換えられたプレイリストを当該ユーザの固有プレイリストとして表示手段に表示させるプレイリスト表示手段と、前記表示されたプレイリストから選択された番組が再生され、この後、再生が終了して電源がオフされたときに、前記特定ユーザ操作モードを解除する特定ユーザ操作モード解除手段とを有する再生操作処理部を備えたことを特徴とする情報記録再生装置を提供する。
【００１１】
この構成において、記録操作を行うために、例えばユーザＢによりリモコンのチャンネルボタン「２」が長押しされると、電源オン手段は、装置の電源をオンする。電源がオンされた後、特定ユーザ操作モード設定手段は、特定ユーザ操作モードに設定する。そして、ユーザ特定手段は、チャンネルボタンとユーザ識別情報との対応を示すテーブルを参照して、前記長押しされたチャンネルボタン「２」に対応するユーザ識別情報ＢＩによりユーザをユーザＢに特定する。
【００１２】
次に、ユーザＢの操作により、ユーザＢの所望する番組の記録が開始して記録が行われ、この後、記録が終了すると、特定ユーザ操作モード解除手段は、当該番組識別情報に対応させてユーザ識別情報ＢＩを、記録媒体に記録させる。これにより、記録媒体には、ユーザＢにより記録操作して記録された番組がユーザ識別情報ＢＩと共に記録されるので、後述する再生時には、リモコンのチャンネルボタン「２」を長押しして、装置を起動させた後、再生動作させると、ユーザ識別情報ＢＩを検索することによって、ユーザＢの記録番組のユーザ固有プレイリストを表示手段に表示させることが可能になる。
【００１３】
この後、装置の電源がオフされると、特定ユーザ操作モード解除手段は、前記設定された特定ユーザ操作モードを解除する。この後、リモコンの電源ボタンが押下された場合は、装置は通常の動作モードに戻され、ユーザに関係なく、所定の動作が可能になる。
【００１４】
再生を行うために、例えばユーザＢによりリモコンのチャンネルボタン「２」が長押しされると、電源オン手段は、装置の電源をオンする。電源がオンされた後、特定ユーザ操作モード設定手段は、特定ユーザ操作モードに設定する。そして、ユーザ特定手段は、チャンネルボタンとユーザ識別情報との対応を示すテーブルを参照して前記長押しされたチャンネルボタン「２」に対応するユーザ識別情報ＢＩによりユーザをユーザＢに特定する。次に、ユーザＢは、再生操作を行うと、記録番組判定手段は、ユーザ識別情報ＢＩに対応する番組識別情報により前記記録媒体にユーザＢの記録番組があるか否かを判定する。
【００１５】
ユーザＢの記録番組があると判定されたとき、プレイリスト並べ換え手段は、ユーザＢの記録番組を優先的に時系列で並び換え、プレイリスト表示手段は、ユーザ固有プレイリストを表示手段に表示させる。ユーザ固有プレイリストから再生したい記録番組が選択され、再生され、再生が終了して、装置の電源がオフされると、特定ユーザ操作モード解除手段は、前記特定ユーザ操作モードを解除する。この後、電源ボタンが押下された場合は、装置は、通常の動作モードに戻され、ユーザに関係なく、所定の動作が可能になる。
【００１６】
この構成によれば、ユーザが複数人居る場合でも、ユーザ毎のプレイリストの整理を行うことができ、各ユーザが自分のプレイリストに従って記録番組を視聴することができる。即ち、１台の情報記録再生装置を複数のユーザが使用する場合であっても、操作したユーザのプレイリストにおいて記録番組が優先的に時系列に表示されるので、操作して装置を起動させたユーザはプレイリストから視聴したい記録番組を瞬時に見つけることができ、視聴したい記録番組を選択する手間と時間が少なくなり、また、自分が記録したテレビ番組を忘れるようなことがあっても、自分の記録番組をすぐに見つけることができ、使い勝手が良くなる。
【００１７】
請求項２の発明は、テレビ番組を選局するチューナを備え、記録媒体に記録した情報を編集できる機能を有し、記録媒体に対して情報の記録／再生を行う情報記録再生装置において、電源がオンされた後、ユーザ特定ボタンの押下により装置を操作するユーザを特定するための特定ユーザ操作モードに設定する特定ユーザ操作モード設定手段と、前記特定ユーザ操作モードに設定された後、ユーザを特定するためのチャンネルボタンが押下されたとき、チャンネルボタンとユーザ識別情報との対応を示すテーブルを参照して前記押下されたチャンネルボタンに対応するユーザ識別情報によりユーザを特定するユーザ特定手段と、記録操作による前記記録媒体への番組記録が開始し、あるいは記録予約による前記記録媒体への番組記録が開始し、この後、記録が終了したときに、当該番組識別情報に対応させてユーザ識別情報を前記記録媒体に記録させるユーザ識別情報記録手段と、電源がオフされたときに、前記設定された特定ユーザ操作モードを解除する特定ユーザ操作モード解除手段とを有する記録操作処理部を備えると共に、電源がオンされた後、ユーザ特定ボタンの押下により装置を操作するユーザを特定するための特定ユーザ操作モードに設定する前記特定ユーザ操作モード設定手段と、前記特定ユーザ操作モードに設定された後、ユーザを特定するためのチャンネルボタンが押下されたとき、チャンネルボタンとユーザ識別情報との対応を示すテーブルを参照して前記押下されたチャンネルボタンに対応するユーザ識別情報によりユーザを特定する前記ユーザ特定手段と、再生を行う際に前記特定された当該ユーザの記録番組が前記記録媒体にあるか否かを当該ユーザ識別情報に対応する番組識別情報により判定する記録番組判定手段と、当該ユーザの記録番組があると判定されたとき、当該ユーザの記録番組のプレイリストを優先的に時系列で並べ換えるプレイリスト並べ換え手段と、前記並べ換えられたプレイリストを当該ユーザの固有プレイリストとして表示手段に表示させるプレイリスト表示手段と、前記表示されたプレイリストから選択された番組が再生され、この後、再生が終了して電源がオフされたときに、前記特定ユーザ操作モードを解除する特定ユーザ操作モード解除手段とを有する再生操作処理部を備えたことを特徴とする情報記録再生装置を提供する。
【００１８】
この構成において、記録操作を行うために、例えば、ユーザＢにより装置の電源がオンされ、リモコンのユーザ特定ボタンが押下されると、特定ユーザ操作モード設定手段は、特定ユーザ操作モードに設定する。そして、リモコンのチャンネルボタン「２」が押下されると、ユーザ特定手段は、チャンネルボタンとユーザ識別情報との対応を示すテーブルを参照して前記押下されたチャンネルボタン「２」に対応するユーザ識別情報ＢＩによりユーザＢを特定する。
【００１９】
次に、ユーザＢの操作により、ユーザＢの所望する番組の記録が開始して記録が行われ、この後、記録が終了すると、特定ユーザ操作モード解除手段は、当該番組識別情報に対応させてユーザ識別情報ＢＩを、記録媒体に記録させる。これにより、記録媒体には、ユーザＢにより記録操作して記録された番組がユーザ識別情報ＢＩと共に記録されるので、後述する再生時には、リモコンのチャンネルボタン「２」を押下すれば、ユーザＢの記録番組のユーザ固有プレイリストを表示手段に表示させることが可能になる。
【００２０】
この後、装置の電源がオフされると、特定ユーザ操作モード解除手段は、前記設定された特定ユーザ操作モードを解除する。この後、リモコンの電源ボタンが押下された場合は、装置は通常の動作モードに戻され、ユーザに関係なく、所定の動作が可能になる。
【００２１】
再生を行うために、例えば、ユーザＢにより装置の電源がオンされ、リモコンのユーザ特定ボタンが押下されると、特定ユーザ操作モード設定手段は、特定ユーザ操作モードに設定する。そして、リモコンのチャンネルボタン「２」が押下されると、ユーザ特定手段は、チャンネルボタンとユーザ識別情報との対応を示すテーブルを参照して前記押下されたチャンネルボタン「２」に対応するユーザ識別情報ＢＩによりユーザＢを特定する。
【００２２】
次に、ユーザＢは、再生操作を行うと、記録番組判定手段は、ユーザ識別情報ＢＩに対応する番組識別情報により前記記録媒体にユーザＢの記録番組があるか否かを判定する。ユーザＢの記録番組があると判定されたとき、プレイリスト並べ換え手段は、ユーザＢの記録番組を優先的に時系列で並び換え、プレイリスト表示手段は、ユーザ固有プレイリストを表示手段に表示させる。ユーザ固有プレイリストから再生したい記録番組が選択され、再生され、再生が終了して、装置の電源がオフされると、特定ユーザ操作モード解除手段は、前記特定ユーザ操作モードを解除する。この後、電源ボタンが押下された場合は、装置は、通常の動作モードに戻され、ユーザに関係なく、所定の動作が可能になる。
【００２３】
この構成によれば、ユーザが複数人居る場合でも、ユーザ毎のプレイリストの整理を行うことができ、各ユーザが自分のプレイリストに従って記録番組を視聴することができる。即ち、１台の情報記録再生装置を複数のユーザが使用する場合であっても、操作したユーザのプレイリストにおいて記録番組が優先的に時系列に表示されるので、操作して装置を起動させたユーザはプレイリストから視聴したい記録番組を瞬時に見つけることができ、視聴したい記録番組を選択する手間と時間が少なくなり、また、自分が記録したテレビ番組を忘れるようなことがあっても、自分の記録番組をすぐに見つけることができ、使い勝手が良くなる。
【００２４】
請求項３の発明は、テレビ番組を選局するチューナを備え、記録媒体に記録した情報を編集できる機能を有し、記録媒体に対して情報の記録／再生を行う情報記録再生装置において、装置を操作するユーザを特定するための特定ユーザ操作モードに設定する特定ユーザ操作モード設定手段と、チャンネルボタンに対応するユーザ識別情報によりユーザを特定するユーザ特定手段と、記録操作による前記記録媒体への番組記録が開始し、あるいは記録予約による前記記録媒体への番組記録が開始し、この後、記録が終了したときに、当該番組識別情報に対応させてユーザ識別情報を前記記録媒体に記録させるユーザ識別情報記録手段と、電源がオフされたときに、前記設定された特定ユーザ操作モードを解除する特定ユーザ操作モード解除手段と、を有する記録操作処理部を備えると共に、装置を操作するユーザを特定するための特定ユーザ操作モードに設定する前記特定ユーザ操作モード設定手段と、チャンネルボタンに対応するユーザ識別情報によりユーザを特定する前記ユーザ特定手段と、再生を行う際に前記特定された当該ユーザの記録番組が前記記録媒体にあるか否かを当該ユーザ識別情報に対応する番組識別情報により判定する記録番組判定手段と、当該ユーザの記録番組があると判定されたとき、当該ユーザの記録番組のプレイリストを優先的に時系列で並べ換えるプレイリスト並べ換え手段と、前記並べ換えられたプレイリストを当該ユーザの固有プレイリストとして表示手段に表示させるプレイリスト表示手段と、前記表示されたプレイリストから選択された番組が再生され、この後、再生が終了して電源がオフされたときに、前記特定ユーザ操作モードを解除する特定ユーザ操作モード解除手段を有する再生操作処理部を備えたことを特徴とする情報記録再生装置を提供する。
【００２５】
この構成において、記録を行う際に、例えば、ユーザＡを特定するために、特定ユーザ操作モード設定手段は、特定ユーザ操作モードに設定する。そして、リモコンのチャンネルボタン「２」が押下されると、ユーザ特定手段は、チャンネルボタン「２」に対応するユーザ識別情報ＢＩによりユーザＢを特定する。
【００２６】
次に、ユーザＢの操作により、ユーザＢの所望する番組の記録が開始して記録が行われ、この後、記録が終了すると、特定ユーザ操作モード解除手段は、当該番組識別情報に対応させてユーザ識別情報ＢＩを、記録媒体に記録させる。これにより、記録媒体には、ユーザＢにより記録操作して記録された番組がユーザ識別情報ＢＩと共に記録されるので、後述する再生時には、リモコンのチャンネルボタン「２」を押下すれば、ユーザＢの記録番組のユーザ固有プレイリストを表示手段に表示させることが可能になる。
【００２７】
この後、装置の電源がオフされると、特定ユーザ操作モード解除手段は、前記設定された特定ユーザ操作モードを解除する。この後、リモコンの電源ボタンが押下された場合は、装置は通常の動作モードに戻され、ユーザに関係なく、所定の動作が可能になる。
【００２８】
再生を行う際に、例えば、ユーザＡを特定するために、特定ユーザ操作モード設定手段は、特定ユーザ操作モードに設定する。そして、リモコンのチャンネルボタン「２」が押下されると、ユーザ特定手段は、チャンネルボタン「２」に対応するユーザ識別情報ＢＩによりユーザＢを特定する。
【００２９】
次に、ユーザＢは、再生操作を行うと、記録番組判定手段は、ユーザ識別情報ＢＩに対応する番組識別情報により前記記録媒体にユーザＢの記録番組があるか否かを判定する。ユーザＢの記録番組があると判定されたとき、プレイリスト並べ換え手段は、ユーザＢの記録番組を優先的に時系列で並び換え、プレイリスト表示手段は、ユーザ固有プレイリストを表示手段に表示させる。ユーザ固有プレイリストから再生したい記録番組が選択され、再生され、再生が終了して、装置の電源がオフされると、特定ユーザ操作モード解除手段は、前記特定ユーザ操作モードを解除する。この後、電源ボタンが押下された場合は、装置は、通常の動作モードに戻され、ユーザに関係なく、所定の動作が可能になる。
【００３０】
この構成によれば、ユーザが複数人居る場合でも、ユーザ毎のプレイリストの整理を行うことができ、各ユーザが自分のプレイリストに従って記録番組を視聴することができる。即ち、１台の情報記録再生装置を複数のユーザが使用する場合であっても、操作したユーザのプレイリストにおいて記録番組が優先的に時系列に表示されるので、操作して装置を起動させたユーザはプレイリストから視聴したい記録番組を瞬時に見つけることができ、視聴したい記録番組を選択する手間と時間が少なくなり、また、自分が記録したテレビ番組を忘れるようなことがあっても、自分の記録番組をすぐに見つけることができ、使い勝手が良くなる。
【００３１】
請求項４の発明では、請求項３の発明における記録操作処理部および再生操作処理部において、特定ユーザ操作モード設定手段は、ユーザを特定するためのチャンネルボタンの長押しで電源をオンさせる電源オン手段により、電源がオンされた後、装置を操作するユーザを特定するための特定ユーザ操作モードに設定し、ユーザ特定手段は、前記チャンネルボタンとユーザ識別情報との対応を示すテーブルを参照して前記長押しされたチャンネルボタンに対応するユーザ識別情報によりユーザを特定するように構成したので、ユーザがチャンネルボタンを長押しすると、電源をオンできると共に、ユーザを特定することができる。
【００３２】
請求項５の発明では、請求項３の発明における記録操作処理部および再生操作処理部において、特定ユーザ操作モード設定手段は、電源がオンされた後、ユーザ特定ボタンの押下により装置を操作するユーザを特定するための特定ユーザ操作モードに設定し、特定ユーザ操作モードに設定された後、ユーザを特定するためのチャンネルボタンが押下されたとき、ユーザ特定手段は、チャンネルボタンとユーザ識別情報との対応を示すテーブルを参照して前記押下されたチャンネルボタンに対応するユーザ識別情報によりユーザを特定するように構成したので、ユーザが、電源をオンし、ユーザ特定ボタンを押下した後、ユーザを特定するチャンネルボタンを押下すると、ユーザを特定することができる。
【発明の効果】
【００３３】
以上のように本発明によれば、テレビ番組を選局するチューナを備え、記録媒体に記録した情報を編集できる機能を有し、記録媒体に対して情報の記録／再生を行う情報記録再生装置において、ユーザを特定するためのチャンネルボタンの長押しで電源をオンさせる電源オン手段と、電源がオンされた後、装置を操作するユーザを特定するための特定ユーザ操作モードに設定する特定ユーザ操作モード設定手段と、チャンネルボタンとユーザ識別情報との対応を示すテーブルを参照して前記長押しされたチャンネルボタンに対応するユーザ識別情報によりユーザを特定するユーザ特定手段と、記録操作による前記記録媒体への番組記録が開始し、あるいは記録予約による前記記録媒体への番組記録が開始し、この後、記録が終了したときに、当該番組識別情報に対応させてユーザ識別情報を前記記録媒体に記録させるユーザ識別情報記録手段と、電源がオフされたときに、前記設定された特定ユーザ操作モードを解除する特定ユーザ操作モード解除手段とを有する記録操作処理部を備えると共に、ユーザを特定するためのチャンネルボタンの長押しで電源をオンさせる前記電源オン手段と、電源がオンされた後、装置を操作するユーザを特定するための特定ユーザ操作モードに設定する前記特定ユーザ操作モード設定手段と、チャンネルボタンとユーザ識別情報との対応を示すテーブルを参照して前記長押しされたチャンネルボタンに対応するユーザ識別情報によりユーザを特定する前記ユーザ特定手段と、再生を行う際に前記特定された当該ユーザの記録番組が前記記録媒体にあるか否かを当該ユーザ識別情報に対応する番組識別情報により判定する記録番組判定手段と、当該ユーザの記録番組があると判定されたとき、当該ユーザの記録番組のプレイリストを優先的に時系列で並べ換えるプレイリスト並べ換え手段と、前記並べ換えられたプレイリストを当該ユーザの固有プレイリストとして表示手段に表示させるプレイリスト表示手段と、前記表示されたプレイリストから選択された番組が再生され、この後、再生が終了して電源がオフされたときに、前記特定ユーザ操作モードを解除する特定ユーザ操作モード解除手段とを有する再生操作処理部を備えたので、ユーザが複数人居る場合でも、ユーザ毎のプレイリストの整理を行うことができ、各ユーザが自分のプレイリストに従って記録番組を視聴することができる。即ち、１台の情報記録再生装置を複数のユーザが使用する場合であっても、操作したユーザのプレイリストにおいて記録番組が優先的に時系列に表示されるので、操作して装置を起動させたユーザはプレイリストから視聴したい記録番組を瞬時に見つけることができ、視聴したい記録番組を選択する手間と時間が少なくなり、また、自分が記録したテレビ番組を忘れるようなことがあっても、自分の記録番組をすぐに見つけることができ、使い勝手が良くなる。
【００３４】
また、本発明によれば、テレビ番組を選局するチューナを備え、記録媒体に記録した情報を編集できる機能を有し、記録媒体に対して情報の記録／再生を行う情報記録再生装置において、電源がオンされた後、ユーザ特定ボタンの押下により装置を操作するユーザを特定するための特定ユーザ操作モードに設定する特定ユーザ操作モード設定手段と、前記特定ユーザ操作モードに設定された後、ユーザを特定するためのチャンネルボタンが押下されたとき、チャンネルボタンとユーザ識別情報との対応を示すテーブルを参照して前記押下されたチャンネルボタンに対応するユーザ識別情報によりユーザを特定するユーザ特定手段と、記録操作による前記記録媒体への番組記録が開始し、あるいは記録予約による前記記録媒体への番組記録が開始し、この後、記録が終了したときに、当該番組識別情報に対応させてユーザ識別情報を前記記録媒体に記録させるユーザ識別情報記録手段と、電源がオフされたときに、前記設定された特定ユーザ操作モードを解除する特定ユーザ操作モード解除手段とを有する記録操作処理部を備えると共に、電源がオンされた後、ユーザ特定ボタンの押下により装置を操作するユーザを特定するための特定ユーザ操作モードに設定する前記特定ユーザ操作モード設定手段と、前記特定ユーザ操作モードに設定された後、ユーザを特定するためのチャンネルボタンが押下されたとき、チャンネルボタンとユーザ識別情報との対応を示すテーブルを参照して前記押下されたチャンネルボタンに対応するユーザ識別情報によりユーザを特定する前記ユーザ特定手段と、再生を行う際に前記特定された当該ユーザの記録番組が前記記録媒体にあるか否かを当該ユーザ識別情報に対応する番組識別情報により判定する記録番組判定手段と、当該ユーザの記録番組があると判定されたとき、当該ユーザの記録番組のプレイリストを優先的に時系列で並べ換えるプレイリスト並べ換え手段と、前記並べ換えられたプレイリストを当該ユーザの固有プレイリストとして表示手段に表示させるプレイリスト表示手段と、前記表示されたプレイリストから選択された番組が再生され、この後、再生が終了して電源がオフされたときに、前記特定ユーザ操作モードを解除する特定ユーザ操作モード解除手段とを有する再生操作処理部を備えたので、ユーザが複数人居る場合でも、ユーザ毎のプレイリストの整理を行うことができ、各ユーザが自分のプレイリストに従って記録番組を視聴することができる。即ち、１台の情報記録再生装置を複数のユーザが使用する場合であっても、操作したユーザのプレイリストにおいて記録番組が優先的に時系列に表示されるので、操作して装置を起動させたユーザはプレイリストから視聴したい記録番組を瞬時に見つけることができ、視聴したい記録番組を選択する手間と時間が少なくなり、また、自分が記録したテレビ番組を忘れるようなことがあっても、自分の記録番組をすぐに見つけることができ、使い勝手が良くなる。
【００３５】
また、本発明によれば、テレビ番組を選局するチューナを備え、記録媒体に記録した情報を編集できる機能を有し、記録媒体に対して情報の記録／再生を行う情報記録再生装置において、装置を操作するユーザを特定するための特定ユーザ操作モードに設定する特定ユーザ操作モード設定手段と、チャンネルボタンに対応するユーザ識別情報によりユーザを特定するユーザ特定手段と、記録操作による前記記録媒体への番組記録が開始し、あるいは記録予約による前記記録媒体への番組記録が開始し、この後、記録が終了したときに、当該番組識別情報に対応させてユーザ識別情報を前記記録媒体に記録させるユーザ識別情報記録手段と、電源がオフされたときに、前記設定された特定ユーザ操作モードを解除する特定ユーザ操作モード解除手段と、を有する記録操作処理部を備えると共に、装置を操作するユーザを特定するための特定ユーザ操作モードに設定する前記特定ユーザ操作モード設定手段と、チャンネルボタンに対応するユーザ識別情報によりユーザを特定する前記ユーザ特定手段と、再生を行う際に前記特定された当該ユーザの記録番組が前記記録媒体にあるか否かを当該ユーザ識別情報に対応する番組識別情報により判定する記録番組判定手段と、当該ユーザの記録番組があると判定されたとき、当該ユーザの記録番組のプレイリストを優先的に時系列で並べ換えるプレイリスト並べ換え手段と、前記並べ換えられたプレイリストを当該ユーザの固有プレイリストとして表示手段に表示させるプレイリスト表示手段と、前記表示されたプレイリストから選択された番組が再生され、この後、再生が終了して電源がオフされたときに、前記特定ユーザ操作モードを解除する特定ユーザ操作モード解除手段を有する再生操作処理部を備えたので、ユーザが複数人居る場合でも、ユーザ毎のプレイリストの整理を行うことができ、各ユーザが自分のプレイリストに従って記録番組を視聴することができる。即ち、１台の情報記録再生装置を複数のユーザが使用する場合であっても、操作したユーザのプレイリストにおいて記録番組が優先的に時系列に表示されるので、操作して装置を起動させたユーザはプレイリストから視聴したい記録番組を瞬時に見つけることができ、視聴したい記録番組を選択する手間と時間が少なくなり、また、自分が記録したテレビ番組を忘れるようなことがあっても、自分の記録番組をすぐに見つけることができ、使い勝手が良くなる。
【発明を実施するための最良の形態】
【００３６】
以下、添付図面を参照しつつ、本発明の実施の形態について説明する。図１は本発明の第１，第２実施形態に係る情報記録再生装置としての複合型記録再生装置の構成を示すブロック図である。ここでは、複合型記録再生装置を例に挙げて説明するが、ハードディスクレコーダ（ハードディスク装置）単体、ＤＶＤレコーダ（光ディスク装置）単体であっても同様なプレイリスト整理処理を適用できることは言うまでもない。
【００３７】
この複合型記録再生装置１は、光ディスクとしてのＤＶＤ１３に対して情報の記録／再生を行う光ディスク装置２と、ＨＤ（ハードディスク）１４に対して情報の記録／再生を行うハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュＲＯＭ６と、デコーダ５で復号された映像信号をモニタ装置（テレビ受信機など）１２で表示可能な映像信号に変換する映像出力部７と、デコーダ５で復号された音声信号をモニタ装置１２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００３８】
システムコントローラ１０は、第１の実施形態の特徴として、ユーザを特定するためのチャンネルボタンの長押しで電源をオンさせる電源オン手段と、電源がオンされた後、装置を操作するユーザを特定するための特定ユーザ操作モードに設定する特定ユーザ操作モード設定手段と、チャンネルボタンとユーザ識別情報との対応を示すテーブルを参照して前記長押しされたチャンネルボタンに対応するユーザ識別情報によりユーザを特定するユーザ特定手段と、記録操作による前記記録媒体への番組記録が開始し、あるいは記録予約による前記記録媒体への番組記録が開始し、この後、記録が終了したときに、当該番組識別情報に対応させてユーザ識別情報を前記記録媒体に記録させるユーザ識別情報記録手段と、電源がオフされたときに、前記設定された特定ユーザ操作モードを解除する特定ユーザ操作モード解除手段とを有する記録操作処理部１０１を備えると共に、ユーザを特定するためのチャンネルボタンの長押しで電源をオンさせる前記電源オン手段と、電源がオンされた後、装置を操作するユーザを特定するための特定ユーザ操作モードに設定する前記特定ユーザ操作モード設定手段と、チャンネルボタンとユーザ識別情報との対応を示すテーブルを参照して前記長押しされたチャンネルボタンに対応するユーザ識別情報によりユーザを特定する前記ユーザ特定手段と、再生を行う際に前記特定された当該ユーザの記録番組が前記記録媒体にあるか否かを当該ユーザ識別情報に対応する番組識別情報により判定する記録番組判定手段と、当該ユーザの記録番組があると判定されたとき、当該ユーザの記録番組のプレイリストを優先的に時系列で並べ換えるプレイリスト並べ換え手段と、前記並べ換えられたプレイリストを当該ユーザの固有プレイリストとして表示手段に表示させるプレイリスト表示手段と、前記表示されたプレイリストから選択された番組が再生され、この後、再生が終了して電源がオフされたときに、前記特定ユーザ操作モードを解除する特定ユーザ操作モード解除手段とを有する再生操作処理部１０２を備える。
【００３９】
また、システムコントローラ１０は、第２の実施形態の特徴として、電源がオンされた後、ユーザ特定ボタンの押下により装置を操作するユーザを特定するための特定ユーザ操作モードに設定する特定ユーザ操作モード設定手段と、前記特定ユーザ操作モードに設定された後、ユーザを特定するためのチャンネルボタンが押下されたとき、チャンネルボタンとユーザ識別情報との対応を示すテーブルを参照して前記押下されたチャンネルボタンに対応するユーザ識別情報によりユーザを特定するユーザ特定手段と、記録操作による前記記録媒体への番組記録が開始し、あるいは記録予約による前記記録媒体への番組記録が開始し、この後、記録が終了したときに、当該番組識別情報に対応させてユーザ識別情報を前記記録媒体に記録させるユーザ識別情報記録手段と、電源がオフされたときに、前記設定された特定ユーザ操作モードを解除する特定ユーザ操作モード解除手段とを有する記録操作処理部１０１を備えると共に、電源がオンされた後、ユーザ特定ボタンの押下により装置を操作するユーザを特定するための特定ユーザ操作モードに設定する前記特定ユーザ操作モード設定手段と、前記特定ユーザ操作モードに設定された後、ユーザを特定するためのチャンネルボタンが押下されたとき、チャンネルボタンとユーザ識別情報との対応を示すテーブルを参照して前記押下されたチャンネルボタンに対応するユーザ識別情報によりユーザを特定する前記ユーザ特定手段と、再生を行う際に前記特定された当該ユーザの記録番組が前記記録媒体にあるか否かを当該ユーザ識別情報に対応する番組識別情報により判定する記録番組判定手段と、当該ユーザの記録番組があると判定されたとき、当該ユーザの記録番組のプレイリストを優先的に時系列で並べ換えるプレイリスト並べ換え手段と、前記並べ換えられたプレイリストを当該ユーザの固有プレイリストとして表示手段に表示させるプレイリスト表示手段と、前記表示されたプレイリストから選択された番組が再生され、この後、再生が終了して電源がオフされたときに、前記特定ユーザ操作モードを解除する特定ユーザ操作モード解除手段とを有する再生操作処理部を備える。
【００４０】
図２は第１の実施形態においてリモコンの操作ボタンの配置の一例を簡略化して示した構成図である。図２において、リモコン１１は、電源ボタン１１１、複数のチャンネルボタン１１２、上方向ボタン１１３、下方向ボタン１１４、左方向ボタン１１５、右方向ボタン１１６、決定ボタン１１７、音声切換ボタン１１８、消音ボタン１１９、音量小ボタン１２０、音量大ボタン１２１、番組表表示ボタン１２２、モード切換ボタン１２３、記録ボタン１２４、再生ボタン１２５、停止ボタン１２６、一時停止ボタン１２７、早戻しボタン１２８、早送りボタン１２９、その他複数の操作ボタンを有する。なお、図２に示す操作ボタンの配置は一例であるので、これに限ることはない。
【００４１】
図３は第１，第２の実施形態において時系列に整理された記録番組の装置内のプレイリストを説明するための図である。図３において、３１はユーザ名を示す欄であり、この欄３１には各ユーザ名Ａ，Ｂ，Ｃ，Ｄが示されている。３２は普通に時系列で記録された番組のノーマルプレイリストを示している。このノーマルプレイリスト３２には、記録番組ａ１，ｂ１，ｃ１，ｂ２，ｄ１，ａ２，ａ３，ｂ３，ｃ２，ｄ２が時系列に整理されている。記録番組ａ１，ａ２，ａ３はユーザＡが複合型記録再生装置１（図１参照）を用いて記録した番組を示し、記録番組ｂ１，ｂ２，ｂ３はユーザＢが複合型記録再生装置１を用いて記録した番組を示す。記録番組ｃ１，ｃ２はユーザＣが複合型記録再生装置１を用いて記録した番組を示し、記録番組ｄ１，ｄ２はユーザＤが複合型記録再生装置１を用いて記録した番組を示す。
【００４２】
また、図３において、３３はユーザを示す欄であり、この欄３３には各ユーザ名Ａ，Ｂ，Ｃ，Ｄが示されている。３４は例えばユーザＢが複合型記録再生装置１を起動させた場合のユーザ固有プレイリストを示している。このユーザ固有プレイリスト３４には、ユーザＢによる記録番組が優先的に時系列で整理され、記録番組ｂ１，ｂ２，ｂ３，ａ１，ｃ１，ｄ１，ａ２，ａ３，ｃ２，ｄ２という順に整理されている。なお、番組の時系列の整理は、古い番組から順に整理しても良いし、新しい番組から順に整理しても良い。この整理順の設定は、リモコン操作により設定することができるようにしておけば可能である。ユーザ固有プレイリスト３４を表示手段に表示させることにより、ユーザＢは自分の記録番組がｂ１，ｂ２，ｂ３であることが分かり、これらの記録番組ｂ１，ｂ２，ｂ３のうち、リモコン操作により選択して再生操作すれば、記録番組ｂ１，ｂ２，ｂ３の何れかを再生させることができる。
【００４３】
また、ユーザ固有プレイリスト３４を表示手段に表示させる際に、欄３３を設け、この欄３３にユーザ名も表示させれば、記録番組がどのユーザのものであるかが確認することができる。更に、ユーザＢに対する記録番組ｂ１，ｂ２，ｂ３だけをユーザ固有プレイリスト３５として表示させれば、自分の記録番組が一目で分かり、ユーザＢにとっては使い勝手が良くなる。
【００４４】
図４は第１，第２の実施形態においてリモコンのチャンネルボタンとユーザ識別情報との対応関係を示すテーブルの内容を示す図である。図４において、テーブル４１のチャンネルボタンの欄４１１には、リモコン１１（図２参照）のチャンネルボタンの数字１，２，３，４，・・・が示され、ユーザ識別情報の欄４１２には、ユーザＡ，Ｂ，Ｃ，Ｄ，・・・を識別するためのユーザ識別情報ＡＩ，ＢＩ，ＣＩ，ＤＩ，・・・が示される。例えば、家庭内でユーザＡが父、ユーザＢが母、ユーザＣが長男、ユーザＤが次男であれば、装置が特定ユーザ操作モードに設定された後、チャンネルボタン「１」を操作すれば、父のユーザ識別情報がＡＩとなり、テーブル４１に登録される。同様に、チャンネルボタン「２」を操作すれば、母のユーザ識別情報がＢＩとなり、テーブル４１に登録され、チャンネルボタン「３」を操作すれば、長男のユーザ識別情報がＣＩとなり、テーブル４１に登録される。また、チャンネルボタン「４」を操作すれば、次男のユーザ識別情報がＤＩとなり、テーブル４１に登録される。
【００４５】
図５は第１の実施形態において記録操作時の処理を説明するためのフローチャートである。このフローチャートおよび図１〜図４を参照して記録操作時の処理について説明する。
【００４６】
ここでは、ユーザＢが母であり、母が複合型記録再生装置１を操作して番組をＨＤ１４に記録する場合の処理について説明する。まず、ユーザＢは複合型記録再生装置１を起動させるため、ユーザＢによりリモコン１１のチャンネルボタン「２」が長押しされると（ステップＳ１）、システムコントローラ１０の記録操作処理部１０１の電源オン手段は、装置の電源をオンする（ステップＳ１）。電源がオンされた後、記録操作処理部１０１の特定ユーザ操作モード設定手段は、装置を操作するユーザを特定するための特定ユーザ操作モードに設定する（ステップＳ２）。なお、電源オン手段および特定ユーザ操作モード設定手段は、再生操作処理部１０２にも含まれるが、ここでの説明の都合上、記録操作処理部１０１に含まれるとして説明している。
【００４７】
そして、記録操作処理部１０１のユーザ特定手段は、チャンネルボタンとユーザ識別情報との対応を示すテーブル４１を参照して前記長押しされたチャンネルボタン「２」に対応するユーザ識別情報ＢＩによりユーザをユーザＢに特定する（ステップＳ４）。なお、ユーザ特定手段は、再生操作処理部１０２にも含まれるが、ここでの説明の都合上、記録操作処理部１０１に含まれるとして説明している。次に、ユーザＢは、リモコン１１の記録ボタン１２４を押下すると、システムコントローラ１０は、例えばハードディスク装置３を駆動させ、チューナ４で受信して選局された番組の記録を開始させる（ステップＳ５）。一方、記録予約されているときは（ステップＳ６）、その記録予約の記録開始日時になると（ステップＳ７）、記録予約されている番組の記録が開始される（ステップＳ８）。
【００４８】
ユーザＢの所望する番組の記録が開始して記録が行われ、この後、記録が終了すると、記録操作処理部１０１の特定ユーザ操作モード解除手段は、当該番組識別情報に対応させてユーザ識別情報ＢＩを、ハードディスク装置３によりＨＤ１４に記録させる（ステップＳ１０）。これにより、ＨＤ１４には、ユーザＢにより記録操作して記録した番組がユーザ識別情報ＢＩと共に記録されるので、後述する再生時には、リモコン１１のチャンネルボタン「２」を長押しして、装置を起動させた後、ユーザ識別情報ＢＩを検索することによって、ユーザＢの記録番組のユーザ固有プレイリスト３４またはユーザ固有プレイリスト３５をモニタ装置１２に表示させることが可能になる。
【００４９】
この後、装置の電源がオフされると（ステップＳ１１）、記録操作処理部１０１の特定ユーザ操作モード解除手段は、前記設定された特定ユーザ操作モードを解除する（ステップＳ１２）。この後、リモコン１１の電源ボタン１１１が押下された場合は、複合型記録再生装置１は、通常の動作モードに戻され、ユーザに関係なく、所定の動作が可能になる。
【００５０】
図６は第１の実施形態において再生操作時の処理を説明するためのフローチャートである。このフローチャートおよび図１〜図４を参照して再生操作時の処理について説明する。
【００５１】
ここでは、ユーザＢが母であり、母が複合型記録再生装置１を操作してＨＤ１４に記録された番組を再生する場合の処理について説明する。まず、ユーザＢは複合型記録再生装置１を起動させるため、ユーザＢによりリモコン１１のチャンネルボタン「２」が長押しされると（ステップＮ１）、システムコントローラ１０の再生操作処理部１０２の電源オン手段は、装置の電源をオンする（ステップＮ２）。電源がオンされた後、再生操作処理部１０２の特定ユーザ操作モード設定手段は、装置を操作するユーザをユーザＢに特定するための特定ユーザ操作モードに設定する（ステップＮ３）。なお、電源オン手段および特定ユーザ操作モード設定手段は、記録操作処理部１０１にも含まれるが、ここでの説明の都合上、再生操作処理部１０２に含まれるとして説明している。
【００５２】
そして、再生操作処理部１０２のユーザ特定手段は、チャンネルボタンとユーザ識別情報との対応を示すテーブル４１を参照して前記長押しされたチャンネルボタン「２」に対応するユーザ識別情報ＢＩによりユーザをユーザＢに特定する（ステップＮ４）。なお、ユーザ特定手段は、記録操作処理部１０１にも含まれるが、ここでの説明の都合上、再生操作処理部１０２に含まれるとして説明している。次に、ユーザＢは、リモコン１１の再生ボタン１２５を押下すると、システムコントローラ１０は、ハードディスク装置３を駆動させ、再生操作処理部１０２の記録番組判定手段は、ユーザ識別情報ＢＩに対応する番組識別情報によりＨＤ１４にユーザＢの記録番組があるか否かを判定する（ステップＮ５）。
【００５３】
ユーザＢの記録番組がないと判定されたときは、モニタ装置１２にユーザＢの記録番組がないと言うメッセージを表示させるが（ステップＮ６）、ユーザＢの記録番組があると判定されたときは、再生操作処理部１０２のプレイリスト並べ換え手段は、ユーザＢの記録番組を優先的に時系列で並び換える（ステップＮ７）。例えば、図３に示したように、ユーザＢの記録番組を優先的に時系列で並び換えたユーザ固有プレイリスト３４またはユーザ固有プレイリスト３５が作成される。そして、再生操作処理部１０２のプレイリスト表示手段は、ユーザ固有プレイリスト３４またはユーザ固有プレイリスト３５をモニタ装置１２に表示させる（ステップＮ８）。
【００５４】
モニタ装置１２に表示されたユーザ固有プレイリスト３４またはユーザ固有プレイリスト３５から再生したい記録番組がリモコン１１の操作により選択され（ステップＮ９）、決定操作が行われると、システムコントローラ１０は、ハードディスク装置３を駆動させ、ＨＤ１４から該当する記録番組を読み出し、再生を開始させる（ステップＮ１０）。
【００５５】
ユーザＢの記録番組の再生が終了して（ステップＮ１１）、装置の電源がオフされると（ステップＮ１２）、再生操作処理部１０２の特定ユーザ操作モード解除手段は、ステップＮ３において設定された特定ユーザ操作モードを解除する（ステップＮ１３）。この後、リモコン１１の電源ボタン１１１が押下された場合は、複合型記録再生装置１は、通常の動作モードに戻され、ユーザに関係なく、所定の動作が可能になる。
【００５６】
図７は第２の実施形態においてリモコンの操作ボタンの配置の一例を簡略化して示した構成図である。図７において、リモコン１１は、電源ボタン１１１、複数のチャンネルボタン１１２、上方向ボタン１１３、下方向ボタン１１４、左方向ボタン１１５、右方向ボタン１１６、決定ボタン１１７、音声切換ボタン１１８、消音ボタン１１９、音量小ボタン１２０、音量大ボタン１２１、番組表表示ボタン１２２、モード切換ボタン１２３、記録ボタン１２４、再生ボタン１２５、停止ボタン１２６、一時停止ボタン１２７、早戻しボタン１２８、早送りボタン１２９、ユーザ特定ボタン１３０、その他複数の操作ボタンを有する。ここで、特に、ユーザボタン１３０は、第２の実施形態において新たに設けられた操作ボタンである。なお、図７に示す操作ボタンの配置は一例であるので、これに限ることはない。
【００５７】
図８は第２の実施形態において記録操作時の処理を説明するためのフローチャートである。このフローチャートおよび図１〜図４を参照して記録操作時の処理について説明する。
【００５８】
ここでは、ユーザＢが母であり、母が複合型記録再生装置１を操作して番組をＨＤ１４に記録する場合の処理について説明する。まず、ユーザＢにより複合型記録再生装置１の電源がオンされ（ステップＴ１）、リモコン１１のユーザ特定ボタン１３０が押下されると（ステップＴ２）、記録操作処理部１０１の特定ユーザ操作モード設定手段は、装置を操作するユーザを特定するための特定ユーザ操作モードに設定する（ステップＴ３）。なお、電源オン手段および特定ユーザ操作モード設定手段は、再生操作処理部１０２にも含まれるが、ここでの説明の都合上、記録操作処理部１０１に含まれるとして説明している。
【００５９】
そして、リモコン１１のチャンネルボタン「２」が押下されると（ステップＴ４）、記録操作処理部１０１のユーザ特定手段は、チャンネルボタンとユーザ識別情報との対応を示すテーブル４１を参照して前記押下されたチャンネルボタン「２」に対応するユーザ識別情報ＢＩによりユーザＢを特定する（ステップＴ５）。なお、ユーザ特定手段は、再生操作処理部１０２にも含まれるが、ここでの説明の都合上、記録操作処理部１０１に含まれるとして説明している。
【００６０】
次に、ユーザＢは、リモコン１１の記録ボタン１２４を押下すると、システムコントローラ１０は、例えばハードディスク装置３を駆動させ、チューナ４で受信して選局された番組の記録を開始させる（ステップＴ６）。一方、記録予約されているときは（ステップＴ７）、その記録予約の記録開始日時になると（ステップＴ８）、記録予約されている番組の記録が開始される（ステップＴ９）。
【００６１】
ユーザＢの所望する番組の記録が開始して記録が行われ、この後、記録が終了すると（ステップＴ１０）、記録操作処理部１０１の特定ユーザ操作モード解除手段は、当該番組識別情報に対応させてユーザ識別情報ＢＩを、ハードディスク装置３によりＨＤ１４に記録させる（ステップＴ１１）。これにより、ＨＤ１４には、ユーザＢにより記録操作して記録した番組がユーザ識別情報ＢＩと共に記録されるので、後述する再生時には、リモコン１１のチャンネルボタン「２」を押下すれば、ユーザＢの記録番組のユーザ固有プレイリストをモニタ装置１２に表示させることが可能になる。
【００６２】
この後、装置の電源がオフされると（ステップＴ１２）、記録操作処理部１０１の特定ユーザ操作モード解除手段は、前記設定された特定ユーザ操作モードを解除する（ステップＴ１３）。この後、リモコン１１の電源ボタン１１１が押下された場合は、複合型記録再生装置１は、通常の動作モードに戻され、ユーザに関係なく、所定の動作が可能になる。
【００６３】
図９は第２の実施形態において再生操作時の処理を説明するためのフローチャートである。このフローチャートおよび図１〜図４を参照して再生操作時の処理について説明する。
【００６４】
ここでは、ユーザＢが母であり、母が複合型記録再生装置１を操作して番組をＨＤ１４に記録する場合の処理について説明する。まず、ユーザＢにより複合型記録再生装置１の電源がオンされ（ステップＭ１）、リモコン１１のユーザ特定ボタン１３０が押下されると（ステップＭ２）、記録操作処理部１０１の特定ユーザ操作モード設定手段は、装置を操作するユーザを特定するための特定ユーザ操作モードに設定する（ステップＭ３）。なお、特定ユーザ操作モード設定手段は、記録操作処理部１０１にも含まれるが、ここでの説明の都合上、再生操作処理部１０２に含まれるとして説明している。
【００６５】
そして、リモコン１１のチャンネルボタン「２」が押下されると（ステップＭ４）、記録操作処理部１０１のユーザ特定手段は、チャンネルボタンとユーザ識別情報との対応を示すテーブル４１を参照して前記押下されたチャンネルボタン「２」に対応するユーザ識別情報ＢＩによりユーザＢを特定する（ステップＭ５）。なお、ユーザ特定手段は、記録操作処理部１０１にも含まれるが、ここでの説明の都合上、再生操作処理部１０２に含まれるとして説明している。
【００６６】
次に、ユーザＢは、リモコン１１の再生ボタン１２５を押下すると、システムコントローラ１０は、ハードディスク装置３を駆動させ、再生操作処理部１０２の記録番組判定手段は、ユーザ識別情報ＢＩに対応する番組識別情報によりＨＤ１４にユーザＢの記録番組があるか否かを判定する（ステップＭ６）。
【００６７】
ユーザＢの記録番組がないと判定されたときは、モニタ装置１２にユーザＢの記録番組がないと言うメッセージを表示させるが（ステップＭ７）、ユーザＢの記録番組があると判定されたときは、再生操作処理部１０２のプレイリスト並べ換え手段は、ユーザＢの記録番組を優先的に時系列で並び換える（ステップＭ８）。例えば、図３に示したように、ユーザＢの記録番組を優先的に時系列で並び換えたユーザ固有プレイリスト３４またはユーザ固有プレイリスト３５が作成される。そして、再生操作処理部１０２のプレイリスト表示手段は、ユーザ固有プレイリスト３４またはユーザ固有プレイリスト３５をモニタ装置１２に表示させる（ステップＭ９）。
【００６８】
モニタ装置１２に表示されたユーザ固有プレイリスト３４またはユーザ固有プレイリスト３５から再生したい記録番組がリモコン１１の操作により選択され（ステップＭ１０）、決定操作が行われると、システムコントローラ１０は、ハードディスク装置３を駆動させ、ＨＤ１４から該当する記録番組を読み出し、再生を開始させる（ステップＭ１１）。
【００６９】
ユーザＢの記録番組の再生が終了して（ステップＭ１２）、装置の電源がオフされると（ステップＭ１３）、再生操作処理部１０２の特定ユーザ操作モード解除手段は、ステップＭ３において設定された特定ユーザ操作モードを解除する（ステップＭ１４）。この後、リモコン１１の電源ボタン１１１が押下された場合は、複合型記録再生装置１は、通常の動作モードに戻され、ユーザに関係なく、所定の動作が可能になる。
【００７０】
なお、以上説明した第１，第２実施形態では、ハードディスク装置に対する記録操作処理および再生操作処理について説明したが、光ディスク装置に対しても、この記録操作処理および再生操作処理を適用でき、同様な効果が得られる。
【００７１】
以上説明したように本実施形態によれば、１台の情報記録再生装置を複数のユーザが使用する場合であっても、操作したユーザのプレイリストにおいて記録番組が優先的に時系列に表示されるので、操作して装置を起動させたユーザはプレイリストから視聴したい記録番組を瞬時に見つけることができ、視聴したい記録番組を選択する手間と時間が少なくなり、また、自分が記録したテレビ番組を忘れるようなことがあっても、自分の記録番組をすぐに見つけることができ、使い勝手が良くなる。
【産業上の利用可能性】
【００７２】
本発明は、テレビ番組などを記録する機能を有するハードディスク装置やＤＶＤレコーダにおいて記録番組のプレイリストをユーザ毎に整理するのに利用できる。
【図面の簡単な説明】
【００７３】
【図１】本発明の第１，第２実施形態に係る情報記録再生装置としての複合型記録再生装置の構成を示すブロック図である。
【図２】第１の実施形態においてリモコンの操作ボタンの配置の一例を簡略化して示した構成図である。
【図３】第１，第２の実施形態において時系列に整理された記録番組の装置内のプレイリストを説明するための図である。
【図４】第１，第２の実施形態においてリモコンのチャンネルボタンとユーザ識別情報との対応関係を示すテーブルの内容を示す図である。
【図５】第１の実施形態において記録操作時の処理を説明するためのフローチャートである。
【図６】第１の実施形態において再生操作時の処理を説明するためのフローチャートである。
【図７】第２の実施形態においてリモコンの操作ボタンの配置の一例を簡略化して示した構成図である。
【図８】第２の実施形態において記録操作時の処理を説明するためのフローチャートである。
【図９】第２の実施形態において再生操作時の処理を説明するためのフローチャートである。
【符号の説明】
【００７４】
１    複合型記録再生装置（情報記録再生装置）
４    チューナ
１２    モニタ装置（表示手段）
１３    ＤＶＤ（記録媒体）
１４    ＨＤ（記録媒体）
３４，３５    ユーザ固有プレイリスト
４１    テーブル
１０１    記録操作処理部（電源オン手段、特定ユーザ操作モード設定手段、ユーザ特定手段、ユーザ識別情報記録手段、特定ユーザ操作モード解除手段）
１０２    再生操作処理部（電源オン手段、特定ユーザ操作モード設定手段、ユーザ特定手段、記録番組判定手段、プレイリスト表示手段、特定ユーザ操作モード解除手段）
１３０    ユーザ特定ボタン
【図１】
2007214685.tif 000003
【図２】
2007214685.tif 000004
【図３】
2007214685.tif 000005
【図４】
2007214685.tif 000006
【図５】
2007214685.tif 000007
【図６】
2007214685.tif 000008
【図７】
2007214685.tif 000009
【図８】
2007214685.tif 000010
【図９】
2007214685.tif 000011